(57)【要約】【課題】映像コンテンツ中の対象画像に対応付けて付加情報を出力することが可能な画像処理装置を提供することである。【解決手段】画像処理装置は、第１の取得手段と、第２の取得手段と、検出手段と、画像処理手段とを備える。前記第１の取得手段は、対象画像を検出するための画像特徴データ、及び前記対象画像に対応付けて出力するための付加情報を取得する。前記第２の取得手段は、映像コンテンツを取得する。前記検出手段は、前記画像特徴データに基づき前記映像コンテンツから前記対象画像を検出する。前記画像処理手段は、前記映像コンテンツ中の前記対象画像と前記付加情報とを対応付けた付加情報付き画像を生成し出力する。【選択図】図１
2012231404.tif 000002
【特許請求の範囲】
【請求項１】
対象画像を検出するための画像特徴データ、及び前記対象画像に対応付けて出力するための付加情報を取得する第１の取得手段と、
映像コンテンツを取得する第２の取得手段と、
前記画像特徴データに基づき前記映像コンテンツから前記対象画像を検出する検出手段と、
前記映像コンテンツ中の前記対象画像と前記付加情報とを対応付けた付加情報付き画像を生成し出力する画像処理手段と、
を備えた画像処理装置。
【請求項２】
前記検出手段は、前記対象画像として顔画像を検出する請求項１記載の画像処理装置。
【請求項３】
前記検出手段は、前記映像コンテンツに対応する第１の映像フレーム中の前記対象画像の第１の位置を検出し、
前記画像処理手段は、前記第１の位置に基づき前記付加情報を表示するための表示領域を設定し、前記表示領域に前記付加情報を設定する請求項１又は２記載の画像処理装置。
【請求項４】
前記検出手段は、前記第１の映像フレーム中の非対象画像の第２の位置を検出し、
前記画像処理手段は、前記第２の位置と異なる位置に前記表示領域を設定する請求項３記載の画像処理装置。
【請求項５】
前記検出手段は、前記第１の映像フレーム中から、前記第１の位置から最も近い所定サイズ以上の候補領域を検出し、
前記画像処理手段は、前記候補領域中に前記表示領域を設定する請求項４記載の画像処理装置。
【請求項６】
前記検出手段は、前記第１の映像フレーム中から、前記表示領域に対応する前記映像コンテンツ中の部分色を検出し、
前記画像処理手段は、前記部分色に基づき、付加情報色を設定する請求項３乃至５の何れか１項記載の画像処理装置。
【請求項７】
前記検出手段は、前記対象画像のサイズを検出し、
前記画像処理手段は、対象画像サイズに基づき、付加情報サイズを設定する請求項１乃至６の何れか１項記載の画像処理装置。
【請求項８】
前記検出手段は、前記対象画像の３Ｄパラメータを検出し、
前記画像処理手段は、前記対象画像の３Ｄパラメータに基づき、前記付加情報の３Ｄパラメータを設定し、前記付加情報の３Ｄパラメータに基づき３Ｄ付加情報を生成し、前記映像コンテンツ中の前記対象画像と前記３Ｄ付加情報とを対応付けた付加情報付き３Ｄ映像を生成し出力する請求項１乃至７の何れか１項記載の画像処理装置。
【請求項９】
前記出力手段は、前記映像コンテンツに対応する第１の映像フレームを含む第２の映像フレームを出力し、
前記画像処理手段は、前記第１のフレーム映像外であり且つ前記第２のフレーム映像中に、前記表示領域を設定する請求項３乃至８の何れか１項記載の画像処理装置。
【請求項１０】
前記検出手段は、所定サイズより大きいサイズの前記対象画像を検出する請求項１乃至９の何れか１項記載の画像処理装置。
【請求項１１】
前記検出手段は、前記映像コンテンツに対応する第１の映像フレーム中の所定領域内の前記対象画像を検出する請求項１乃至１０の何れか１項記載の画像処理装置。
【請求項１２】
対象画像を検出するための画像特徴データに基づき映像コンテンツから前記対象画像を検出し、
前記対象画像と付加情報とを対応付けた付加情報付き画像を生成し、
前記画像を出力する画像処理方法。
【発明の詳細な説明】
【技術分野】
【０００１】
本発明の実施形態は、画像処理装置及び画像処理方法に関する。
【背景技術】
【０００２】
近年、様々な機能を備えたデジタルテレビが登場している。例えば、録画機能、高画質化処理機能、インターネット機能、又は３Ｄ表示機能等を搭載したデジタルテレビが登場している。
【０００３】
また、デジタルカメラ等の分野では、画像認識技術を適用し、撮影画像の中から所望の人物の顔画像を検出する技術が提案されている。
【先行技術文献】
【特許文献】
【０００４】
【特許文献１】特表２００８−５１０３２７号公報
【発明の概要】
【発明が解決しようとする課題】
【０００５】
デジタルテレビに対するユーザからの要望は尽きない。例えば、映像コンテンツの視聴中に所望の出演者を識別したいという要望が出されている。
【０００６】
本発明が解決しようとする課題は、映像コンテンツ中の対象画像（例えば所望の出演者）に対応付けて付加情報を出力することが可能な画像処理装置及び画像処理方法を提供することである。
【課題を解決するための手段】
【０００７】
実施形態によれば、画像処理装置は、第１の取得手段と、第２の取得手段と、検出手段と、画像処理手段とを備える。前記第１の取得手段は、対象画像を検出するための画像特徴データ、及び前記対象画像に対応付けて出力するための付加情報を取得する。前記第２の取得手段は、映像コンテンツを取得する。前記検出手段は、前記画像特徴データに基づき前記映像コンテンツから前記対象画像を検出する。前記画像処理手段は、前記映像コンテンツ中の前記対象画像と前記付加情報とを対応付けた付加情報付き画像を生成し出力する。
【図面の簡単な説明】
【０００８】
【図１】第１及び第２の実施形態に係る画像処理装置の概略構成の一例を示すブロック図である。
【図２】付加情報出力処理の一例を示すフローチャートである。
【図３】対象別付加情報データベースの一例を示す図である。
【図４】対象被写体指定画面の一例を示す図である。
【図５】第１の実施形態に係る付加情報付き画像の出力（表示）の一例を示す図である。
【図６】第２の実施形態に係る付加情報付き画像の出力（表示）の一例を示す図である。
【発明を実施するための形態】
【０００９】
図１は、第１及び第２の実施形態に係る画像処理装置の概略構成の一例を示すブロック図である。第１及び第２の実施形態では、例えば、画像処理装置としてデジタルテレビを想定して説明する。しかしながら、本実施形態の画像処理装置は、デジタルテレビに限定されるものではない。例えば、画像処理装置は、放送信号を受信し放送信号を記録するデジタルレコーダ、被写体を撮影し被写体に対応する映像信号を記録するデジタルビデオカメラ等であってもよい。さらに、画像処理装置は、パーソナルコンピュータ等であってもよい。
【００１０】
図１に示す画像処理装置は、例えば、2D（2-dimensional image）又は3D（3-dimensional image）の映像コンテンツを記録したり、再生したりすることができる。図１に示すように、画像処理装置は、受信モジュール１０２、デジタル復調モジュール１０３、光ディスクドライブ１０４、ハードディスクドライブ１０５、ＭＰＥＧ処理モジュール１０６、出力合成モジュール１０７、システム制御モジュール１１０、操作モジュール１１１、対象被写体指定モジュール１１２、出演シーン位置特定モジュール１１３、対象別付加情報生成モジュール１１４、対象別付加情報出力領域決定モジュール１１５、通信モジュール１１６を備える。
【００１１】
受信モジュール１０２は、アンテナ１０１からのデジタル放送信号を受信（取得）し、デジタル放送信号をＩＦ(中間周波数)信号に変換する。デジタル復調モジュール１０３は、ＩＦ信号からデジタル信号(ＴＳ：トランスポートストリーム)を抽出し、ＭＰＥＧ処理モジュール１０６に出力する。ＭＰＥＧ処理モジュール１０６は、ＴＳを映像データ、音声データ、およびＥＰＧ表示用のＳＩ(Service Information)に分離し、映像データ、音声データをデコードする。出力合成モジュール１０７は、デコードされた映像データ及び音声データをディスプレイ１０９及びスピーカ１０８へ出力する。
【００１２】
システム制御モジュール１１０は、各処理モジュールの動作を統括的に制御する。操作モジュール１１１は、例えばリモートコントローラであり、システム制御モジュール１１０は、操作モジュール１１１から発信される各種制御コマンドを受信する。制御コマンドとは、例えば、テレビ放送の再生、録画、録画済みコンテンツの再生等を指示するコマンドである。
【００１３】
例えば、システム制御モジュール１１０が、録画を指示するコマンドを検出すると、ＭＰＥＧ処理モジュール１０６は、選択中のチャンネルの番組の映像、音声データをエンコードし、光ディスクドライブ１０４が、光ディスクＤにエンコードされた映像、音声データを記録する。又は、ハードディスクドライブ１０５が、ハードディスクＨにエンコードされた映像、音声データを記録する。
【００１４】
また、システム制御モジュール１１０が、記録済みのコンテンツの再生を指示するコマンドを検出すると、光ディスクドライブ１０４が、光ディスクＤに記録された記録済みコンテンツ（映像、音声データ）を読み出す。言い換えれば、光ディスクドライブ１０４は、光ディスクＤに記録された記録済みコンテンツを取得する。又はハードディスクドライブ１０５が、ハードディスクＨに記録された記録済みコンテンツ（映像、音声データ）を読み出す。言い換えれば、ハードディスクドライブ１０５が、ハードディスクＨに記録された記録済みコンテンツを取得する。
【００１５】
ＭＰＥＧ処理モジュール１０６は、読み出された映像、音声データをデコードし、出力合成モジュール１０７は、デコードされた映像、音声データを出力する。
【００１６】
以下、上記説明した画像処理装置による付加情報出力処理について説明する。画像処理装置は、ユーザにより指定された対象画像（例えばお気に入りの出演者の顔画像）を映像コンテンツ中から検索し、映像コンテンツに対応した映像フレーム中の対象画像に対応する位置に付加情報（お気に入りの出演者の名前など）を出力する。
【００１７】
（第１の実施形態）
第１の実施形態では、画像処理装置が、映像コンテンツに対応した映像フレーム中に、付加情報を出力（表示）するケースについて説明する。つまり、画像処理装置が、映像コンテンツ中の再生画面中に、対象画像に対応付けて付加情報を出力（表示）するケースについて説明する。
【００１８】
例えば、ユーザは、操作モジュール１１１を介してシステム制御モジュール１１０に対して、対象被写体指定を要求する。これに対応して、システム制御モジュール１１０の表示制御に従い、ディスプレイ１０９は、例えば、図４に示すような対象被写体指定画面を表示する。
【００１９】
ユーザは、操作モジュール１１１を介して、対象被写体指定画面の検索項目にキーワード（ＡＢＣ）を入力することができる。例えば、システム制御モジュール１１０は、通信モジュール１１６により外部ネットワークを介して、入力されたキーワードに基づき出演者を検索し、対象被写体指定画面上に、出演者リスト（Ａ、Ｂ、Ｃ）を表示する。ユーザは、操作モジュール１１１を介して、出演者リスト（Ａ、Ｂ、Ｃ）から検索対象（例えば出演者Ａ）を選択することができ、これに対応して、対象被写体指定モジュール１１２は、検索対象（例えば出演者Ａ）を指定する。
【００２０】
例えば、システム制御モジュール１１０は、通信モジュール１１６により外部ネットワークを介して、指定された検索対象の個人識別ＩＤを取得する。さらに、システム制御モジュール１１０は、個人識別ＩＤに基づき、検索対象画像を検索するための画像特徴データ（顔特徴データ）及び付加情報を取得する。
【００２１】
例えば、システム制御モジュール１１０は、個人識別ＩＤに基づき、顔特徴データベースＤ１から画像特徴データを取得し、対象別付加情報データベースＤ２から付加情報を取得する。顔特徴データベースＤ１は、個人識別ＩＤが対応付けられた画像特徴データを蓄積している。同様に、対象別付加情報データベースＤ２は、個人識別ＩＤが対応付けられた付加情報を蓄積している。図３は、対象別付加情報データベースＤ２に蓄積された付加情報の一例を示す図である。図３に示すように、名前（付加情報）には、個人識別ＩＤが対応付けられている。なお、個人識別ＩＤが対応付けられたプロフィールを付加情報として指定することもできる。なお、画像処理装置は、顔特徴データベースＤ１を含む構成であってもよいし、顔特徴データベースＤ１を含まない構成であってもよい。同様に、画像処理装置は、対象別付加情報データベースＤ２を含む構成であってもよいし、対象別付加情報データベースＤ２を含まない構成であってもよい。
【００２２】
或いは、システム制御モジュール１１０は、通信モジュール１１６により外部ネットワークを介して、又は受信モジュール１０２により放送信号（ＳＩ）を介して、顔特徴データベースＤ１に蓄積された顔特徴データを更新し、対象別付加情報データベースＤ２に蓄積された付加情報を更新し、個人識別ＩＤに基づき、顔特徴データベースＤ１から画像特徴データを取得し、対象別付加情報データベースＤ２から付加情報を取得する。例えば、顔特徴データベースＤ１中に、個人識別ＩＤに対応する画像特徴データが無い場合に、システム制御モジュール１１０は、通信モジュール１１６により外部ネットワークを介して、又は受信モジュール１０２により放送信号（ＳＩ）を介して、顔特徴データベースＤ１に蓄積された顔特徴データを更新する。或いは、顔特徴データベースＤ１に蓄積された顔特徴データが所定時間以上更新されていない場合に、システム制御モジュール１１０は、通信モジュール１１６により外部ネットワークを介して、又は受信モジュール１０２により放送信号（ＳＩ）を介して、顔特徴データベースＤ１に蓄積された顔特徴データを更新する。また、対象別付加情報データベースＤ２中に、個人識別ＩＤに対応する付加情報が無い場合に、システム制御モジュール１１０は、通信モジュール１１６により外部ネットワークを介して、又は受信モジュール１０２により放送信号（ＳＩ）を介して、対象別付加情報データベースＤ２に蓄積された付加情報を更新する。或いは、対象別付加情報データベースＤ２に蓄積された付加情報が所定時間以上更新されていない場合に、システム制御モジュール１１０は、通信モジュール１１６により外部ネットワークを介して、又は受信モジュール１０２により放送信号（ＳＩ）を介して、対象別付加情報データベースＤ２に蓄積された付加情報を更新する。
【００２３】
或いは、システム制御モジュール１１０は、通信モジュール１１６により外部ネットワークを介して、又は受信モジュール１０２により放送信号（ＳＩ）を介して、個人識別ＩＤに基づき画像特徴データ及び付加情報を取得する。
【００２４】
上記したように、画像特徴データ及び付加情報が取得されると、出演シーン位置特定モジュール１１３は、ＭＰＥＧ処理モジュール１０６でデコードされた映像フレーム（映像コンテンツに対応した映像フレーム）と、顔特徴データとを照合し、照合結果に基づき検索対象画像の有無（被写体の出演可否）、及び検索対象画像の位置（映像フレーム内の検索対象画像の領域）を検出する。さらに、出演シーン位置特定モジュール１１３は、映像フレーム中から、非検索対象画像の有無及び非検索対象画像の位置を検出する。
【００２５】
検索対象画像が有ることが特定された場合、対象別付加情報出力領域決定モジュール１１５は、検索対象画像の位置（顔位置）の近傍且つ非検索対象画像の位置（非検索対象画像の位置（顔位置））を避けた領域を出力領域（表示領域）として設定する。つまり、対象別付加情報出力領域決定モジュール１１５は、非検索対象画像の位置（非検索対象画像の位置（顔位置））と異なる位置に出力領域（表示領域）を設定する。さらに詳しく説明すると、対象別付加情報出力領域決定モジュール１１５は、検索対象画像の位置（顔位置）から最も近い所定サイズ以上の候補領域を検出し、候補領域中に出力領域を設定する。出力合成部１０７は、映像コンテンツと付加情報とを合成し（出力領域に付加情報を付加し）、合成画像を出力する。
【００２６】
図５は、合成画像の出力の一例を示す図である。図５に示すように、ユーザが指定した検索対象（出演者Ａ）の顔画像の近傍に、検索対象の付加情報（例えば出演者Ａの名前）が表示される。しかも、この付加情報は、他の画像（他の人物の顔画像）とは重ならない位置に表示される。
【００２７】
本実施形態によれば、視聴者による映像視聴中に、リアルタイムで、指定された被写体に関する情報を出力可能（表示可能）な画像処理装置を提供できる。
【００２８】
次に、図２を参照して、付加情報出力処理の一例について説明する。例えば、３Ｄ映像視聴時の付加情報出力処理の一例について説明する。
【００２９】
最初に、対象被写体指定モジュール１１２は、検索対象（例えば出演者Ａ）を指定する(（Ｓ２０１）。これに対応して、システム制御モジュール１１０は、指定された検索対象の個人識別ＩＤを取得する。
【００３０】
システム制御モジュール１１０は、個人識別ＩＤに基づき、検索対象画像を検索するための画像特徴データ（顔特徴データ）及び付加情報を取得する。顔特徴データベースＤ１及び対象別付加情報データベースＤ２の更新が必要な場合には（Ｓ２０２、ＹＥＳ）、システム制御モジュール１１０は、通信モジュール１１６により外部ネットワークを介して、又は受信モジュール１０２により放送信号（ＳＩ）を介して、顔特徴データベースＤ１及び対象別付加情報データベースＤ２を更新する（Ｓ２０３）。システム制御モジュール１１０は、個人識別ＩＤに基づき、更新された顔特徴データベースＤ１から、画像特徴データ（顔特徴データ）を取得する。
【００３１】
ＭＰＥＧ処理モジュール１０６は、映像コンテンツの映像フレームをデコードする（Ｓ２０４）。また、出演シーン位置特定モジュール１１３は、顔検出技術を利用し、デコードされた映像フレームと、顔特徴データとを照合し、照合結果に基づき検索対象画像を検索する。例えば、出演シーン位置特定モジュール１１３は、映像フレーム中の所定画像と顔特徴データとが一致する場合（Ｓ２０５、ＹＥＳ）、所定画像を検索対象画像として判定する。さらに、出演シーン位置特定モジュール１１３は、検索対象画像の顔位置を示す顔領域情報と、その他の画像の顔位置を示す顔領域情報とを対象別付加情報出力決定モジュール１１５に通知し、検索された検索対象画像の個人識別ＩＤを対象別付加情報生成モジュール１１４に通知する。
【００３２】
対象別付加情報生成モジュール１１４は、対象別付加情報データベースＤ２から、通知された個人識別ＩＤに対応付けられた付加情報を取得する（Ｓ２０６）。図３に示すように、対象別付加情報データベースＤ２は、個人識別ＩＤと１以上の固有情報とを対応付けて管理している。
【００３３】
対象別付加情報出力決定モジュール１１５は、検索対象画像の顔位置の近傍且つ他の画像の顔位置を避けた領域を出力領域として設定し（Ｓ２０７）、この出力領域を対象別付加情報生成モジュール１１４に通知する。また、対象別付加情報出力決定モジュール１１５は、検索対象画像の顔画像のサイズに応じた出力領域のサイズを設定することもできる。
【００３４】
対象別付加情報生成モジュール１１４は、システム制御モジュール１１０から、検索対象画像の奥行き情報（３Ｄパラメータ）等のパラメータを取得する（Ｓ２０８）。なお、システム制御モジュール１１０は、放送信号から検索対象画像の奥行き情報（３Ｄパラメータ）等を取得することができる。また、対象別付加情報生成モジュール１１４は、対象別付加情報出力決定モジュール１１５から、出力領域のサイズ等のパラメータを取得する。また、対象別付加情報生成モジュール１１４は、ＭＰＥＧ処理モジュール１０６から映像コンテンツの部分色（出力領域の位置の背景色）等のパラメータを取得する。
【００３５】
対象別付加情報生成モジュール１１４は、上記パラメータに基づき、付加情報を生成する（Ｓ２０９）。例えば、対象別付加情報生成モジュール１１４は、検索対象画像の奥行きと同等の奥行きの付加情報を生成する。つまり、検索対象画像の立体度と付加情報の立体度とを実質的に同一にすることにより、検索対象画像と付加情報との対応関係を明確にする。また、対象別付加情報生成モジュール１１４は、出力領域のサイズに対応したフォントサイズの付加情報を生成する。また、対象別付加情報生成モジュール１１４は、映像コンテンツの部分色（出力領域の位置の背景色）に同化しない色の付加情報を生成する。つまり、付加情報が合成される合成領域の背景色に対し視認性の高い文字色の付加情報を生成する。
【００３６】
出力合成部１０７は、映像コンテンツと上記生成された付加情報とを合成し（出力領域に付加情報を付加し）（Ｓ２１０）、合成画像を出力する（Ｓ２１１）。なお、出力合成部１０７は、付加情報出力の指示に基づき、上記合成画像を出力し、通常出力の指示に基づき、付加情報の無いオリジナルの映像コンテンツを出力する。
【００３７】
視聴終了の指示が発生する、又は被写体情報の出力が切り替えられるまで、Ｓ２０４−Ｓ２１２が繰り返される。
【００３８】
さらなる付加情報の視認性向上のために、以下のようにして付加情報の出力を制御することもできる。
【００３９】
例えば、出演シーン位置特定部１１３が、映像フレーム中で、検索対象画像が目立っていることを検出した場合に、出力合成部１０７は、付加情報が付加された合成映像を出力する。つまり、出演シーン位置特定部１１３が、映像フレーム中で、検索対象画像が目立っていないことを検出した場合には、出力合成部１０７は、付加情報の無いオリジナルの映像コンテンツを出力する。
【００４０】
例えば、出演シーン位置特定部１１３は、映像フレーム内での検索対象画像のサイズ又は位置に基づき、検索対象画像が目立っているか否かを検出する。例えば、出演シーン位置特定部１１３は、検索対象画像のサイズが所定サイズを超えている場合に、検索対象画像が目立っていると判定する。或いは、出演シーン位置特定部１１３は、検索対象画像が映像フレームの中央から所定範囲内（所定領域内）に含まれる場合に、検索対象画像が目立っていると判定する。或いは、出演シーン位置特定部１１３が、所定サイズより大きいサイズの検索対象画像を検出するようにしてもよい。また、出演シーン位置特定部１１３が、フレーム中の所定範囲内（所定領域内）の検索対象画像を検出するようにしてもよい。これにより、目立っている検索対象画像が検出されることになる。
【００４１】
また、対象別付加情報出力領域決定モジュール１１５が、十分な出力領域のサイズを確保できると判断した場合に、出力合成部１０７は、出力領域に対して付加情報が付加された合成映像を出力する。逆に、対象別付加情報出力領域決定モジュール１１５が、十分な出力領域のサイズを確保できないと判断した場合には、出力合成部１０７は、付加情報の無いオリジナルの映像コンテンツを出力する。
【００４２】
（第２の実施形態）
第２の実施形態では、画像処理装置が、映像コンテンツに対応した第１の映像フレーム外に、付加情報を出力（表示）するケースについて説明する。つまり、画像処理装置が、映像コンテンツに対応した第１の映像フレーム（小画面）を含む第２の映像フレームを出力するケースにおいて、第１の映像フレーム外で且つ第２フレーム内に、対象画像に対応付けて付加情報を出力（表示）するケースについて説明する。
【００４３】
図６は、映像コンテンツに対応した第１の映像フレームの外に、付加情報を出力（表示）するケースの一例を示す図である。図６に示すように、画像処理装置が、映像コンテンツを第１の映像フレームＦ１（小画面）で表示し、第１の映像フレームＦ１（小画面）を含む第２の映像フレームＦ２中に、付加情報（例えば出演者名（Ａ））を出力する。例えば、付加情報は、第１の映像フレームＦ１の検索対象画像の近傍であって、且つ第２の映像フレームＦ２中に出力するのが好ましい。これにより、オリジナルの映像コンテンツを出力しつつ、付加情報を出力することが可能となる。
【００４４】
上記説明した第１及び第２の実施形態による作用効果についてまとめる。
【００４５】
上記説明した画像処理装置の付加情報出力機能によれば、ユーザは、出演者の名前又は役名等の情報を、映像を視聴しながらリアルタイムに識別することができる。また、共通の嗜好をもつ複数人からなるグループで共有可能な投稿情報をデータベース（例えば付加情報）として採用することにより、ユーザは、共通嗜好をもつグループ内で、Twitter感覚で映像を共感しながら視聴することができる。例えば、画像処理装置は、検索対象画像に対応付けて付加情報（投稿情報）を出力することができる。このようにして、画像処理装置の新たなエンターテインメント性の拡大を図ることができる。
【００４６】
また、上記説明では、画像処理装置が、１つの検索対象画像に対応付けて付加情報を出力（表示）するケースについて説明したが、画像処理装置は、同時に、複数の検索対象画像に対応付けて付加情報を出力（表示）することもできる。
【００４７】
また、上記説明では、画像処理装置は、放送される映像コンテンツに対して付加情報を付加するケースについて説明したが、非放送コンテンツに対して付加情報を付加することもできる。例えば、ＤＶＤ等の光ディスクに格納された映像コンテンツに対して付加情報を付加することもできる。また、ホームビデオにより撮影されたプライベート映像コンテンツに対して付加情報を付加することもできる。この場合、プライベート映像コンテンツの再生画面上で検索対象画像の指定を受け付け、指定された検索対象画像から顔特徴データを抽出し、抽出された顔特徴データに基づき、プライベート映像コンテンツから検索対象画像を検索する。
【００４８】
また、上記では、画像処理装置が、指定された出演者等の画像（顔画像）を検索（検出）することを説明したが、画像処理装置は、指定された出演者以外の様々な画像を検索することもできる。例えば、画像処理装置は、指定された商品の画像（商品画像、商品名画像、商標画像）を検索し、指定された商品に対する付加情報（商品名、商品購入サイトのアドレスなど）を出力（表示）することができる。つまり、画像処理装置は、映像コンテンツの再生中に、映像コンテンツ中の商品に対応付けて、映像コンテンツの映像フレーム中又は映像フレーム外に、付加情報を出力（表示）することができる。例えば、ユーザは、付加情報を参照して、指定された商品の商品名を知ることができるし、また、指定された商品の購入サイトに簡単にアクセスすることができる。
【００４９】
なお、上記したモジュールとは、ハードウェアで実現するものであっても良いし、ＣＰＵ等を使ってソフトウェアで実現するものであってもよい。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１０２…受信モジュール、１０３…デジタル復調モジュール、１０４…光ディスクドライブ、１０５…ハードディスクドライブ、１０６…ＭＰＥＧ処理モジュール、１０７…出力合成モジュール、１１０…システム制御モジュール、１１１…操作モジュール、１１２…対象被写体指定モジュール、１１３…出演シーン位置特定モジュール、１１４…対象別付加情報生成モジュール、１１５…対象別付加情報出力領域決定モジュール、１１６…通信モジュール
【図１】
2012231404.tif 000003
【図２】
2012231404.tif 000004
【図３】
2012231404.tif 000005
【図４】
2012231404.tif 000006
【図５】
2012231404.tif 000007
【図６】
2012231404.tif 000008